【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
ヘッドユニットと、
該ヘッドユニットに接続されたデコーダであって、該デコーダは、該ヘッドユニットからのオーディオ信号に応答して、デコード化信号を生成する、デコーダと、
該ヘッドユニットと該デコーダとに接続されたクロスバーマトリクスミキサーであって、該クロスバーマトリクスミキサーは、該ヘッドユニットからのオーディオ信号を受信し、該クロスバーマトリクスミキサーは、該デコーダからの複数のデコード化信号を受信する、クロスバーマトリクスミキサーと
を含むサウンド処理システムであって、
該クロスバーマトリクスミキサーは、該オーディオ信号と該複数のデコード化信号とに応答して、混合出力信号を生成し、
該オーディオ信号がステレオ信号を含むときに、該混合出力信号がアクティブマトリクスデコード化信号を含み、
該オーディオ信号がモノラル信号を含むときに、該混合出力信号がパッシブマトリクス処理信号を含む、サウンド処理システム。
【請求項２】
前記オーディオ信号がステレオ信号とモノラル信号とを含むときに、前記混合出力信号におけるアクティブマトリクスデコーディングの程度が低減される、請求項１に記載のサウンド処理システム。
【請求項３】
前記オーディオ信号がステレオ信号とモノラル信号とを含むときに、前記混合出力信号がパッシブマトリクス処理信号を含む、請求項１に記載のサウンド処理システム。
【請求項４】
前記オーディオ信号はデジタル信号を含む、請求項１に記載のサウンド処理システム。
【請求項５】
前記クロスバーマトリクスミキサーに接続された２次音源をさらに含む、請求項１に記載のサウンド処理システム。
【請求項６】
前記デコード化信号は５つのデコード化信号を含む、請求項１に記載のサウンド処理システム。
【請求項７】
サブウーファー用のデコード化信号を含む、請求項６に記載のサウンド処理システム。
【請求項８】
前記デコード化信号は７つのデコード化信号を含む、請求項１に記載のサウンド処理システム。
【請求項９】
サブウーファー用のデコード化信号を含む、請求項８に記載のサウンド処理システム。
【請求項１０】
前記デコーダはディスクリートデコーダを含む、請求項１に記載のサウンド処理システム。
【請求項１１】
前記デコーダはＬＯＧＩＣ７（登録商標）デコーダを含む、請求項１に記載のサウンド処理システム。
【請求項１２】
前記混合出力信号は少なくとも２つの加算信号を含む、請求項１に記載のサウンド処理システム。
【請求項１３】
前記混合出力信号は、少なくとも１つの左信号と、少なくとも１つの右信号と、中央信号とを含む、請求項１に記載のサウンド処理システム。
【請求項１４】
前記少なくとも１つの左信号は、左前信号、左サラウンド信号、および左後部信号のうちの少なくとも１つを含み、
前記少なくとも１つの右信号は、右前信号、右サラウンド信号、および右後部信号のうちの少なくとも１つを含む、請求項１３に記載のサウンド処理システム。
【請求項１５】
前記ヘッドユニットは左チャネルと右チャネルとを含む、請求項１に記載のサウンド処理システム。
【請求項１６】
前記左チャネルと前記デコーダと前記クロスバーマトリクスミキサーとに接続された第１のアナログ・デジタル変換器（ＡＤＣ）と、
前記右チャネルと該デコーダと該クロスバーマトリクスミキサーとに接続された第２のアナログ・デジタル変換器（ＡＤＣ）と
をさらに含む、請求項１５に記載のサウンド処理システム。
【請求項１７】
前記オーディオ信号に環境信号が追加され、
前記デコーダは、該環境信号と該オーディオ信号とに応答して、前記デコード化信号を生成し、
前記混合出力信号は、アクティブマトリクスデコード化信号を含む、請求項１に記載のサウンド処理システム。
【請求項１８】
サウンドを処理する方法であって、
オーディオ信号に応答してデコード化信号を生成することと、
該デコード化信号と該オーディオ信号とに応答して混合出力信号を生成することと
を含み、
該オーディオ信号がステレオ信号を含むときに、該混合処理信号がアクティブマトリクスデコード化信号を含み、
該オーディオ信号がモノラル信号を含むときに、該混合出力信号がパッシブマトリクス処理信号を含む、方法。
【請求項１９】
前記オーディオ信号がステレオ信号とモノラル信号とを含むときに、前記混合出力信号におけるアクティブマトリクスデコーディングの程度を低減することをさらに含む、請求項１８に記載の方法。
【請求項２０】
前記オーディオ信号がステレオ信号とモノラル信号とを含むときに、前記混合出力信号がパッシブマトリクス処理信号を含む、請求項１８に記載の方法。
【請求項２１】
前記デコード化信号は５つのデコード化信号を含む、請求項１８に記載の方法。
【請求項２２】
前記デコード化信号は７つのデコード化信号を含む、請求項１８に記載の方法。
【請求項２３】
左入力信号と右入力信号との帯域制限を決定することと、
該左入力信号と該右入力信号とに応答して、コヒーレンスを計算することと、
右出力信号に対する左出力信号のステアリング角とサラウンド出力信号に対する中心出力信号のステアリング角とを概算することと、
該コヒーレンスに応答して、該ステアリング角を制限することと
をさらに含む、請求項１８に記載のサウンドを処理する方法。
【請求項２４】
コヒーレンスＣは、Ｃ＝ＰＬＲ２／ＰＬＬ＊ＰＲＲによって決定され、
ＰＬＲは前記左入力信号と前記右入力信号とのクロスパワーであり、ＰＬＬは該左入力信号のパワーであり、ＰＲＲは該右入力信号のパワーである、請求項２３に記載のサウンドを処理する方法。
【請求項２５】
前記オーディオ信号がモノラル信号を含むときに、該オーディオ信号に環境信号を追加することと、
該環境信号と該オーディオ信号とに応答して、デコード化信号を生成することと
をさらに含み、
該混合出力信号は、アクティブマトリクスデコード化信号を含む、請求項１８に記載の方法。
【請求項２６】
合成サラウンド信号Ｓｆを形成することと、
左入力信号Ｌと右入力信号Ｒとに応答して、コヒーレンスＣを計算することと、
該左入力信号と該右入力信号と該合成サラウンド信号と該コヒーレンスとに応答して、左仮想ステレオ信号Ｌｔと右仮想ステレオ信号Ｒｔとを生成することと、
該左仮想ステレオ信号と該右仮想ステレオ信号とに応答して、デコード化信号を生成することと
をさらに含み、
前記混合出力信号は、アクティブマトリクスデコード化信号を含む、請求項１８に記載の方法。
【請求項２７】
Ｓｆ＝（Ｌｂｌ＋Ｒｂｌ）／２
Ｌｔ＝（Ｘ＊Ｌ）＋（Ｙ＊Ｓｆ＊Ｃ）
Ｒｔ＝（Ｘ＊Ｒ）＋（Ｙ＊Ｓｆ＊Ｃ）であって、
ＬｂｌおよびＲｂｌは帯域制限されたＬ信号およびＲ信号であり、ＸおよびＹは荷重ファクタである、請求項２６に記載の方法。
【請求項２８】
Ｘ＝１．７０７であってＹ＝０．７である、請求項２７に記載の方法。
【請求項２９】
ＬｂｌおよびＲｂｌは約７ＫＨｚに帯域制限されている、請求項２７に記載の方法。
【請求項３０】
サウンドを処理する方法であって、
左オーディオ信号と右オーディオ信号とを受信することと、
該左オーディオ信号と該右オーディオ信号とを比較することと、
デコーディングの間、該左オーディオ信号と右オーディオ信号との類似性の程度の変動に基づいて、該左オーディオ信号および該右オーディオ信号のフルアクティブなステアリング角処理と該左オーディオ信号および該右オーディオ信号の制限されたステアリング角処理との間で選択的に遷移することと
を含む、方法。
【請求項３１】
前記左オーディオ信号と前記右オーディオ信号との間の類似性の程度が低減するときに、フルアクティブなステアリング角処理に向けて遷移することと、
該左オーディオ信号と該右オーディオ信号との間の類似性の程度が増加するときに、制限されたステアリング角処理に向けて遷移することと
をさらに含む、請求項３０に記載の方法。
【請求項３２】
前記左オーディオ信号と前記右オーディオ信号とを比較することは、該左オーディオ信号と該右オーディオ信号とのオーバーラップの程度を示す単一のコヒーレンス値を該左オーディオ信号と該右オーディオ信号とに割り当てることを含む、請求項３０に記載の方法。
【請求項３３】
前記左オーディオ信号と前記右オーディオ信号とを比較することは、該左オーディオ信号と該右オーディオ信号との間のコヒーレンスを決定することを含む、請求項３０に記載の方法。
【請求項３４】
前記左オーディオ信号と前記右オーディオ信号とを比較することは、該左オーディオ信号と該右オーディオ信号との受信信号強度を決定することを含む、請求項３０に記載の方法。
【請求項３５】
デコーディングの間、前記フルアクティブなステアリング角処理と前記制限されたステアリング角処理とに基づいて、前記左オーディオ信号と前記右オーディオ信号とに適用されるべきステアリング角を生成することと、
該左オーディオ信号と該右オーディオ信号との類似性が増加するときのみに、該ステアリング角を制限することと
をさらに含む、請求項３０に記載の方法。
【請求項３６】
デコーディングの間に選択的に遷移することは、
前記類似性の程度を実質的に連続的に更新することと、
該更新された類似性の程度がこれまでの類似性の程度から変化するときに選択的に遷移することと
を含む、請求項３０に記載の方法。
【請求項３７】
デコーディングの間に選択的に遷移することは、前記類似性の程度が決定されたステレオ閾値よりも大きいときに、制限されたステアリング角処理に遷移することを含む、請求項３０に記載の方法。
【請求項３８】
サウンドを処理する方法であって、
左オーディオ信号と右オーディオ信号とを受信することと、
該左オーディオ信号と該右オーディオ信号とを比較することと、
デコーディングの前に、該左オーディオ信号と該右オーディオ信号との類似性の程度に基づいて、該左オーディオ信号と該右オーディオ信号とに合成サラウンド情報の変動の量を選択的に追加することと
を含む、方法。
【請求項３９】
前記左オーディオ信号と前記右オーディオ信号とをマトリクスデコーダを用いてデコードすることをさらに含む、請求項３８に記載の方法。
【請求項４０】
前記左オーディオ信号と前記右オーディオ信号とを比較することは、該左オーディオ信号と該右オーディオ信号との間のコヒーレンスを決定することを含む、請求項３８に記載の方法。
【請求項４１】
前記左オーディオ信号と前記右オーディオ信号とを比較することは、該左オーディオ信号と該右オーディオ信号との受信信号強度を決定することを含む、請求項３８に記載の方法。
【請求項４２】
合成サラウンド情報の変動の量を選択的に追加することは、
前記左オーディオ信号と前記右オーディオ信号とがよりモノラルに近いときに、該合成サラウンド情報の量を増加させることと、
該左オーディオ信号と該右オーディオ信号とがよりステレオに近いときに、該合成サラウンド情報の量を減少させることと
を含む、請求項３８に記載の方法。
【請求項４３】
サウンドを処理する方法であって、
複数のオーディオ信号を受信することと、
該複数のオーディオ信号のコヒーレンスの程度を示すコヒーレンスを計算することと、
該複数のオーディオ信号のコヒーレンスが増加する際、デコーディングの前に、該複数のオーディオ信号に適用されるサラウンドサウンドエンハンスメントの量を増加させることと、
左オーディオ信号と右オーディオ信号とのコヒーレンスが減少する際、デコーディングの前に、該複数のオーディオ信号に適用されるサラウンドサウンドエンハンスメントの量を減少させることと
を含む、方法。
【請求項４４】
前記コヒーレンスを計算することは、前記複数のオーディオ信号におけるステレオコンテンツとモノラルコンテンツとの割合を決定することを含む、請求項４３に記載の方法。
【請求項４５】
前記コヒーレンスを計算することは、前記オーディオ信号のパワーを決定することを含む、請求項４３に記載の方法。
【請求項４６】
前記複数のオーディオ信号は左オーディオチャネルおよび右オーディオチャネルであり、
前記コヒーレンスを計算することは、該左オーディオチャネルおよび該右オーディオチャネルにおける信号のオーバーラップの量を決定することを含む、請求項４３に記載の方法。
【請求項４７】
左オーディオ信号と右オーディオ信号とを処理するサウンド処理システムであって、
プロセッサと、
該プロセッサを用いることにより、該左オーディオ信号と該右オーディオ信号との間のコヒーレンスの程度を示す単一のコヒーレンス値を決定するように実行することが可能なコヒーレンス推定器と、
該左オーディオ信号と該右オーディオ信号とをデコードし、左チャネル出力、右チャネル出力、中央チャネル出力、およびサラウンドチャネル出力を生成するように構成されたデコーダと
を含み、
該デコーダは、該左チャネル出力、該右チャネル出力、該中央チャネル出力、および該サラウンドチャネル出力の各々に対するステアリング角を計算するように構成されており、
該デコーダは、信号のコヒーレンス値が混合モノラル・ステレオ信号またはモノラル信号を示すときに、該ステアリング角を選択的に制限するようにさらに構成されている、サウンド処理システム。
【請求項４８】
前記デコーダは、前記コヒーレンス値がステレオ信号を示すときに、前記ステアリング角を用いてフルアクティブなステアリングを有効にするようにさらに構成されている、請求項４７に記載のサウンド処理システム。
【請求項４９】
前記デコーダは、前記単一のコヒーレンス値が混合モノラル・ステレオ信号またはモノラル信号を示すときに、中央サラウンドステアリング角を選択的に制御するようにさらに構成されている、請求項４７に記載のサウンド処理システム。
【請求項５０】
前記デコーダは、前記コヒーレンス値が混合モノラル・ステレオ信号またはモノラル信号を示すときに、左・右ステアリング角を選択的に制限するようにさらに構成されている、請求項４７に記載のサウンド処理システム。
【請求項５１】
前記コヒーレンス値は、前記左オーディオ信号のパワーと前記右オーディオ信号のパワーとに基づいて決定することが可能である、請求項４７に記載のサウンド処理システム。
【請求項５２】
前記コヒーレンス推定器は、前記コヒーレンス値を実質的に連続的に更新して前記ステアリング角を最適化するように実行することが可能である、請求項４７に記載のサウンド処理システム。
【請求項５３】
前記コヒーレンス推定器は、前記オーディオ信号を帯域制限して低周波数のコンテンツを除去するように実行することが可能である、請求項４７に記載のサウンド処理システム。
【請求項５４】
前記コヒーレンス値は、コヒーレンス値＝ＰＬＲ２／ＰＬＬ＊ＰＲＲによって決定され、ＰＬＲは前記左入力信号と前記右入力信号とのクロスパワーであり、ＰＬＬは該左入力信号のパワーであり、ＰＲＲは該右入力信号のパワーである、請求項４７に記載のサウンド処理システム。
【請求項５５】
オーディオ信号を処理するサウンド処理システムであって、
プロセッサと、
該プロセッサを用いることにより、複数のオーディオ信号の間のコヒーレンスの程度を示すコヒーレンスを決定するように実行することが可能なコヒーレンス推定器と、
該プロセッサを用いることにより合成サラウンド信号を生成するように実行することが可能なモノラルスペーシャライザと
を含み、
該プロセッサは、該オーディオ信号、該コヒーレンス、および該合成サラウンド信号に基づいて仮想ステレオ信号を生成するように構成され、該仮想ステレオ信号は、サラウンドサウンド処理のためにデコーダに入力される、サウンド処理システム。
【請求項５６】
前記オーディオ信号のコヒーレンスの程度が減少する際に、合成サラウンド信号の量が低減される、請求項５５に記載のサウンド処理システム。
【請求項５７】
前記合成サラウンド信号は、前記モノラルスペーシャライザを用いることにより前記オーディオ信号から生成される、請求項５５に記載のサウンド処理システム。
【請求項５８】
前記コヒーレンスは、前記オーディオ信号のパワーに基づいて決定可能である、請求項５５に記載のサウンド処理システム。
【請求項５９】
前記コヒーレンス推定器は、前記オーディオ信号のコヒーレンスを示す単一のコヒーレンス値を実質的に連続的に更新するように実行することが可能である、請求項５５に記載のサウンド処理システム。
【請求項６０】
前記コヒーレンス推定器は、前記オーディオ信号を帯域制限して低周波数のコンテンツを除去するように実行することが可能である、請求項５５に記載のサウンド処理システム。